(57)【特許請求の範囲】
【請求項１】
第１の総画素数の第１表示装置に表示する第１画像と、第２の総画素数の第２表示装置に表示する第２画像とを、前記第１の総画素数と前記第２の総画素数の和以上の第３の総画素数の第３表示装置に表示可能な第３画像に重複なく配置できる場合には、前記第１画像と前記第２画像とを前記第３画像に重複なく配置した合成画像を生成し、
前記第１画像と前記第２画像とを前記第３画像に重複なく配置できない場合には、前記第１画像と前記第２画像のうち少なくともいずれか一方について、画像の一部を再配置した合成画像を生成する合成画像生成手段と、
前記合成画像生成手段が生成した前記合成画像を映像信号として出力する合成画像出力手段と、
前記合成画像出力手段が映像信号として出力した前記合成画像を入力する合成画像入力手段と、
前記合成画像入力手段が入力した前記合成画像から前記第１画像と前記第２画像を分離し、画像の一部が再配置されている場合には再配置された画像の一部を元の配置に配置し直す合成画像分離手段と、
前記合成画像分離手段が分離した前記第１画像を映像信号として出力する第１画像出力手段と、
前記合成画像分離手段が分離した前記第２画像を映像信号として出力する第２画像出力手段と、
を備えることを特徴とする表示制御装置。
【請求項２】
第１の総画素数の第１表示装置に表示する第１画像と、第２の総画素数の第２表示装置に表示する第２画像とから、合成画像を生成する画像合成装置と、
前記合成画像から前記第１画像と、前記第２画像とを分離する画像分離装置と、
を備え、
前記画像合成装置は、
前記第１の総画素数と前記第２の総画素数の和以上の第３の総画素数の第３表示装置に表示可能な第３画像に、前記第１画像と前記第２画像とを重複なく配置できる場合には、前記第１画像と前記第２画像とを前記第３画像に重複なく配置した前記合成画像を生成し、
前記第１画像と前記第２画像とを前記第３画像に重複なく配置できない場合には、前記第１画像と前記第２画像のうち少なくともいずれか一方について、画像の一部を再配置した前記合成画像を生成する合成画像生成手段と、
前記合成画像生成手段が生成した前記合成画像を映像信号として出力する合成画像出力手段と、
を備え、
前記画像分離装置は、
前記合成画像出力手段が映像信号として出力した前記合成画像を入力する合成画像入力手段と、
前記合成画像入力手段が入力した前記合成画像から前記第１画像と前記第２画像を分離し、画像の一部が再配置されている場合には再配置された画像の一部を元の配置に配置し直す合成画像分離手段と、
前記合成画像分離手段が分離した前記第１画像を映像信号として出力する第１画像出力手段と、
前記合成画像分離手段が分離した前記第２画像を映像信号として出力する第２画像出力手段と、
を備えることを特徴とする表示制御装置。
【請求項３】
前記画像合成装置は、前記第３の総画素数より大きな画像編集メモリ上で、前記第１画像と、前記第２画像とを生成する合成画像生成手段を備えることを特徴とする請求項２記載の表示制御装置。
【請求項４】
前記第１の総画素数は、前記第２の総画素数より大きく、前記第１画像は、前記第２画像の少なくとも一部の画像を含むことを特徴とする請求項１乃至請求項３記載の表示制御装置。
【請求項５】
第１の総画素数の第１表示装置に表示する第１画像と、第２の総画素数の第２表示装置に表示する第２画像とを、前記第１の総画素数と前記第２の総画素数の和以上の第３の総画素数の第３表示装置に表示可能な第３画像に重複なく配置できる場合には、前記第１画像と前記第２画像とを前記第３画像に重複なく配置した合成画像を生成し、
前記第１画像と前記第２画像とを前記第３画像に重複なく配置できない場合には、前記第１画像と前記第２画像のうち少なくともいずれか一方について、画像の一部を再配置した合成画像を生成し、
生成した前記合成画像を映像信号として出力する、
ことを特徴とする表示制御方法。
【請求項６】
映像信号として出力された前記合成画像を入力し、
入力した前記合成画像から前記第１画像と前記第２画像を分離し、画像の一部が再配置されている場合には再配置された画像の一部を元の配置に配置し直し、
前記合成画像から分離した前記第１画像を映像信号として出力し、
前記合成画像から分離した前記第２画像を映像信号として出力する、
ことを特徴とする請求項５記載の表示制御方法。
【発明の詳細な説明】
【技術分野】
【０００１】
本発明は、表示制御装置、および表示制御方法に関する。
【背景技術】
【０００２】
競馬場、競輪場、競艇場、オートレース場には、投票券発券システム（たとえば、トータリゼータシステム）が導入されている。投票券は、客が操作する投票券発券装置のほか、対人窓口によっても購入が可能になっている。
【０００３】
こうした対人窓口では、客は、口頭で注文することによって、あるいは所定事項を記入した注文用紙を提示することによって、投票券を購入することができる。このとき、オペレータが操作する投票券発券装置は、表示装置に注文内容を表示して、オペレータと客の双方が注文内容を確認することができるようにしている。表示装置は、対面するオペレータと客の双方が表示内容を確認できるように、オペレータ用の表示装置と、客用の表示装置と２台が設けられる。
【０００４】
客用の表示装置は、注文内容の確認をすることができればよいが、オペレータ用の表示装置は、オペレータによる注文操作の案内や受付の確認など、発券操作に伴う所要のＧＵＩ（Graphical User Interface）を提供する必要がある。したがって、オペレータ用の表示装置と客用の表示装置とで表示する内容が異なるばかりか、表示する情報量も異なる。
【０００５】
そのため、オペレータ用の表示装置と客用の表示装置とでは、たとえば、オペレータ用の表示装置はＳＶＧＡ（横８００×縦６００）、客用の表示装置はＱＶＧＡ（横３２０×縦２４０）のように、表示画素数の異なる表示装置が用いられる。
【０００６】
このような複数のＬＣＤ（Liquid Crystal Display：液晶表示装置）を制御する表示制御装置として、各表示装置に対応するＶＤＰ（Video Display Processor：ビデオディスプレイプロセッサ）、キャラクタＲＯＭ（Read Only Memory）、ＶＲＡＭ（Video RAM）、ＬＣＤ駆動回路を備えている表示制御装置の提案がある（たとえば、特許文献１参照）。
【０００７】
また、高価なＶＤＰを複数用いると部品コストが高くなることから、１つのＶＤＰによって生成される画像データを元にして、分割画像データを切り出し、第１ＬＣＤ、第２ＬＣＤに表示する表示制御装置の提案がある（たとえば、特許文献２参照）。
【先行技術文献】
【特許文献】
【０００８】
【特許文献１】特開２００３−３２０１０６号公報
【特許文献２】特開２００８−１１３８５６号公報
【発明の概要】
【発明が解決しようとする課題】
【０００９】
しかしながら、提案の表示制御装置は、１つの画面表示を複数の表示装置でおこなうものであり、１つのＶＤＰによって生成される画像データを元にして、第１ＬＣＤ、第２ＬＣＤのそれぞれに表示する分割画像データを切り出している。分割画像データの切り出しは、ＬＣＤごとに設けられるスケーラＩＣによっておこなわれる。
【００１０】
そのため、提案の表示制御装置は、高価なＶＤＰを複数用いることはないものの、スケーラＩＣ、ＶＲＡＭを複数備える点で依然として部品コストが高い。
本発明は、このような点に鑑みてなされたものであり、低コストでマルチ画像出力が可能な表示制御装置、および表示制御方法の提供を目的とする。
【課題を解決するための手段】
【００１１】
上記課題を解決するために、表示制御装置は、合成画像生成手段と、合成画像出力手段と、合成画像入力手段と、合成画像分離手段と、第１画像出力手段と、第２画像出力手段とを備える。
【００１２】
合成画像生成手段は、第１の総画素数の第１表示装置に表示する第１画像と、第２の総画素数の第２表示装置に表示する第２画像とを、第１の総画素数と第２の総画素数の和以上の第３の総画素数の第３表示装置に表示可能な第３画像に重複なく配置した合成画像を生成する。
【００１３】
合成画像出力手段は、合成画像生成手段が生成した合成画像を映像信号として出力する。合成画像入力手段は、合成画像出力手段が映像信号として出力した合成画像を入力する。合成画像分離手段は、合成画像入力手段が入力した合成画像から第１画像と第２画像を分離する。第１画像出力手段は、合成画像分離手段が分離した第１画像を映像信号として出力する。第２画像出力手段は、合成画像分離手段が分離した第２画像を映像信号として出力する。
【００１４】
また、上記課題を解決するために、表示制御装置は、画像合成装置と、画像分離装置とを備える。画像合成装置は、第１の総画素数の第１表示装置に表示する第１画像と、第２の総画素数の第２表示装置に表示する第２画像とから、合成画像を生成する。画像分離装置は、合成画像から第１画像と、第２画像とを分離する。
【００１５】
画像合成装置は、合成画像生成手段と、合成画像出力手段とを備える。
画像分離装置は、合成画像入力手段と、合成画像分離手段と、第１画像出力手段と、第２画像出力手段と、を備える。
【発明の効果】
【００１６】
上記の表示制御装置、および表示制御方法によれば、低コストでマルチ画像出力が可能となる。
【図面の簡単な説明】
【００１７】
【図１】第１の実施形態の表示制御装置のブロック図である。
【図２】第２の実施形態の投票券発券システムの構成例を示す図である。
【図３】第２の実施形態の表示画面例を示す図である。
【図４】第２の実施形態の本体装置および操作卓のブロック図である。
【図５】第２の実施形態の画像配置管理テーブルの一例を示す図である。
【図６】第２の実施形態の表示データ構成例を示す図である。
【図７】第２の実施形態の本体装置のハードウェア構成例を示す図である。
【図８】第２の実施形態のグラフィック処理装置（本体装置）および操作卓のハードウェア構成例を示す図である。
【図９】第２の実施形態の合成画像生成部および合成画像出力部の処理シーケンスを示す図である。
【図１０】第２の実施形態の合成画像入力部、合成画像分離部、第１画像出力部、第２画像出力部の処理シーケンスを示す図である。
【図１１】第３の実施形態の合成画像生成処理のフローチャートである。
【図１２】第３の実施形態の表示データ構成例を示す図である。
【図１３】第４の実施形態の合成画像生成処理のフローチャートである。
【図１４】第４の実施形態の表示データ構成例を示す図である。
【図１５】第５の実施形態の画像配置管理テーブルの一例を示す図である。
【発明を実施するための形態】
【００１８】
以下、実施形態を図面を参照して説明する。
［第１の実施形態］
まず、第１の実施形態の表示制御装置について、図１を用いて説明する。図１は、第１の実施形態の表示制御装置のブロック図である。
【００１９】
表示制御装置１は、第１画像６と第２画像７を合成し、合成画像８を生成した後、合成画像８から第１画像６と第２画像７を分離して出力する。表示制御装置１から出力された第１画像６は、第１表示装置４に表示され、表示制御装置１から出力された第２画像７は、第２表示装置５に表示される。
【００２０】
第１画像６は、第１の総画素数の画像である。第２画像７は、第２の総画素数の画像である。合成画像８は、第３の総画素数の画像であり、第３の総画素数の第３表示装置に表示可能な画像である。第１の総画素数と第２の総画素数は、同じであってもよいし、異なってもよい。第３の総画素数は、第１の総画素数と第２の総画素数の和以上の画素数である。
【００２１】
これら総画素数は、たとえば、ＱＶＧＡ（３２０×２４０）、ＷＱＶＧＡ（４００×２４０）、ＥＧＡ（６４０×３５０）、ＶＧＡ（６４０×４８０）、ＷＶＧＡ（８００×４８０）、ＳＶＧＡ（８００×６００）、ＷＳＶＧＡ（１０２４×６００）、ＸＧＡ（１０２４×７６８）、ＸＧＡ+（１１５２×８６４）、ＷＸＧＡ（１２８０×８００）、ＷＸＧＡ+（１４４０×９００）、ＳＸＧＡ（１２８０×１０２４）、ＳＸＧＡ+（１４００×１０５０）、ＷＳＸＧＡ+（１６８０×１０５０）、ＵＸＧＡ（１６００×１２００）、ＷＵＸＧＡ（１９２０×１２００）、ＱＸＧＡ+（２０４８×１５３６）、ＱＳＸＧＡ（２５６０×２０４８）、ＱＵＸＧＡ（３２００×２４００）などがある。たとえば、第１の総画素数がＳＶＧＡ、第２の総画素数がＱＶＧＡのとき、第３の総画素数は、第１の総画素数と第２の総画素数の和以上となるＸＧＡやＸＧＡ+などとなる。
【００２２】
表示制御装置１は、画像合成装置２と画像分離装置３を備える。画像合成装置２は、合成画像生成手段２ａと、合成画像出力手段２ｂとを備える。画像分離装置３は、合成画像入力手段３ａと、合成画像分離手段３ｂと、第１画像出力手段３ｃと、第２画像出力手段３ｄとを備える。
【００２３】
合成画像生成手段２ａは、第１画像６と第２画像７を入力する。合成画像生成手段２ａは、第３の総画素数の第３画像に第１画像６と第２画像７を重複なく配置した合成画像８を生成する。
【００２４】
合成画像出力手段２ｂは、合成画像生成手段２ａが生成した合成画像８を映像信号として出力する。合成画像出力手段２ｂが出力する合成画像８は、第３の総画素数であり、第３の総画素数の第３表示装置に表示可能である。
【００２５】
合成画像入力手段３ａは、合成画像出力手段２ｂが映像信号として出力した合成画像８を入力する。合成画像分離手段３ｂは、合成画像入力手段３ａが入力した合成画像８から第１画像６と第２画像７を分離する。第１画像出力手段３ｃは、合成画像分離手段３ｂが分離した第１画像６を映像信号として出力する。第２画像出力手段３ｄは、合成画像分離手段３ｂが分離した第２画像７を映像信号として出力する。
【００２６】
なお、表示制御装置１は、画像合成装置２と画像分離装置３を別体にして所要の通信ケーブルにより接続してもよいし、一体にして所要の通信線により接続してもよい。たとえば、画像合成装置２と画像分離装置３は、ＤＶＩ（Digital Visual Interface）インタフェースで相互に接続する。また、第１画像出力手段３ｃと第１表示装置４は、所要の通信ケーブルにより接続される。たとえば、第１画像出力手段３ｃと第１表示装置４は、ＤＶＩインタフェースで相互に接続される。また、第２画像出力手段３ｄと第２表示装置５は、所要の通信ケーブルにより接続される。たとえば、第２画像出力手段３ｄと第２表示装置５は、ＤＶＩインタフェースで相互に接続される。
【００２７】
このように、表示制御装置１は、２つの画像（第１画像６と第２画像７）から生成した合成画像８を映像信号として出力することにより、合成画像出力手段２ｂ（画像合成装置２）と合成画像入力手段３ａ（画像分離装置３）を１本の通信ケーブルにより接続することができる。そして、合成画像８は、２つの画像に分離され、通信ケーブルにより接続された第１表示装置４、第２表示装置５に、第１画像６、第２画像７がそれぞれ出力される。
【００２８】
これにより、映像信号として合成画像８を１出力する画像合成装置２に合成画像８を生成する能力があればよく、映像信号として第１画像６、第２画像７を２出力する画像分離装置３には第１画像６、第２画像７を生成する能力を要しない。したがって、表示制御装置１は、低コストでマルチ画像出力（第１画像６の第１表示装置４への出力、および第２画像７の第２表示装置５への出力）が可能となる。
【００２９】
なお、総画素数は、表示装置に表示可能な画素数という意味で用いる。広義には、総画素数と同じ意味に解像度を用いる場合があるが、解像度は、たとえば、ＰＰＩ（Pixel Per Inch）のように、単位あたりの画素数を表す意味で用いられる場合があるため、ここでは総画素数と解像度とを区別する。
【００３０】
次に、第２の実施形態を用いてより具体的に説明する。
［第２の実施形態］
図２は、第２の実施形態の投票券発券システムの構成例を示す図である。第２の実施形態として、投票券発券システム１０が操作者用ディスプレイ３１と客用ディスプレイ４０に画像表示をおこなうシステムを例示するが、これに限らず複数の表示装置に画像表示をおこなうものであれば、その他のシステムにも適用可能である。たとえば、ＰＯＳ（Point Of Sale）端末における操作者用ディスプレイと客用ディスプレイ、遊技機におけるメイン表示装置とサブ制御装置などがある。
【００３１】
投票券発券システム１０は、投票券の発券、投票内容の集計、オッズの表示、配当金の計算、投票券の払い戻しなどを管理するシステムである。投票券発券システム１０は、トータリゼータシステムとも呼ばれ、競馬場、競輪場、競艇場、オートレース場などで投票券の発券管理等をおこなう。
【００３２】
投票券発券システム１０は、有人窓口用投票券発券装置１２と、管理装置５０と、ネットワーク１１とを含んで構成される。また、投票券発券システム１０は、図示しない客操作用投票券発券装置、オッズモニタ、その他の機器を含む場合がある。
【００３３】
管理装置５０は、有人窓口用投票券発券装置１２（本体装置２０）と通信をおこない、有人窓口用投票券発券装置１２がおこなう投票券の発券を管理する。また、管理装置５０は、投票内容の集計、オッズの表示、配当金の計算などをおこなう。
【００３４】
有人窓口用投票券発券装置１２は、開催場あるいは場外投票券売場などに備えられ、ネットワーク１１を介して、管理装置５０と通信可能に接続される。有人窓口用投票券発券装置１２は、多くの場合、開催場あるいは場外投票券売場ごとに複数台が備えられる。有人窓口用投票券発券装置１２は、操作者（オペレータ）が客からの投票券発券の注文を受け付けて発券操作をおこなうための端末装置である。
【００３５】
有人窓口用投票券発券装置１２は、本体装置２０と、操作卓３０と、客用ディスプレイ４０とを含んで構成される。本体装置２０は、１台、または複数台の操作卓３０と接続する。また、本体装置２０は、ネットワーク１１を介して、管理装置５０と通信可能に接続される。操作卓３０は、操作者用ディスプレイ３１と操作部３３を備え、客用ディスプレイ４０と接続する。また、操作卓３０は、図示しない発券装置等を備える。
【００３６】
操作者用ディスプレイ３１は、操作者に向けて表示部に所要の情報表示をおこなう。操作部３３は、操作者から発券等の所要の操作入力を受け付ける。客用ディスプレイ４０は、客に向けて表示部に所要の情報表示をおこなう。
【００３７】
次に、操作者用ディスプレイ３１がおこなう情報表示と、客用ディスプレイ４０がおこなう情報表示について、図３を用いて説明する。図３は、第２の実施形態の表示画面例を示す図である。図３（ａ）は、操作者用ディスプレイ３１に表示する表示画面例である。図３（ｂ）は、客用ディスプレイ４０に表示する表示画面例である。
【００３８】
操作者用ディスプレイ３１は、操作者に向けて、操作者用表示画面３００を表示する。操作者用表示画面３００は、ＳＶＧＡの総画素数で表される。操作者用表示画面３００を表示する操作者用ディスプレイ３１は、当然にＳＶＧＡを表示するのに必要な画像表示能力を有する。操作者用表示画面３００は、客から受け付けた投票券発券の注文を確認するための情報表示のほか、操作者が発券操作をおこなうための操作案内表示等をおこなう。
【００３９】
客用ディスプレイ４０は、客に向けて、客用表示画面３０１を表示する。客用表示画面３０１は、ＱＶＧＡの総画素数で表される。客用表示画面３０１を表示する客用ディスプレイ４０は、当然にＱＶＧＡを表示するのに必要な画像表示能力を有する。客用表示画面３０１は、客が注文した投票券発券を確認するための情報表示をおこなう。
【００４０】
したがって、有人窓口用投票券発券装置１２においては、操作者に必要とされる情報が客に報知すべき情報よりも多いので、操作者用ディスプレイ３１は、客用ディスプレイ４０よりも大きな総画素数である。
【００４１】
また、操作者用表示画面３００と客用表示画面３０１とで共通する表示内容（たとえば、投票券発券の注文を確認するための情報表示と客が注文した投票券発券を確認するための情報表示）は、各々の画像生成において共用可能な情報である。
【００４２】
次に、有人窓口用投票券発券装置１２が操作者用ディスプレイ３１と客用ディスプレイ４０に画像表示をおこなうための処理を実現する構成について、図４から図６を用いて説明する。図４は、第２の実施形態の本体装置および操作卓のブロック図である。図５は、第２の実施形態の画像配置管理テーブルの一例を示す図である。図６は、第２の実施形態の表示データ構成例を示す図である。
【００４３】
本体装置２０は、ＳＶＧＡ画像３１２とＱＶＧＡ画像３１３を合成したＸＧＡ+画像３１１を映像信号として出力する。操作卓３０は、ＸＧＡ+画像３１１の映像信号を入力する。操作卓３０は、ＸＧＡ+画像３１１から分離したＳＶＧＡ画像３１２を操作者用ディスプレイ３１に映像信号として出力し、ＸＧＡ+画像３１１から分離したＱＶＧＡ画像３１３を客用ディスプレイ４０に映像信号として出力する。
【００４４】
本体装置２０は、画像生成部２１と、合成画像生成部２２と、合成画像出力部２３と、画像配置記憶部２４を備える。画像生成部２１は、ＳＶＧＡ画像３１２とＱＶＧＡ画像３１３を生成する。操作卓３０は、合成画像入力部３５と、画像配置記憶部３６と、合成画像分離部３７と、第１画像出力部３８と、第２画像出力部３９を備える。
【００４５】
画像生成部２１は、画像編集メモリ３１０（図６（ａ）参照）にＳＶＧＡ画像３１２とＱＶＧＡ画像３１３を生成する。なお、本体装置２０は、ＳＶＧＡ画像３１２とＱＶＧＡ画像３１３を外部から入力する場合、画像生成部２１を備えなくともよい。画像編集メモリ３１０は、ＳＶＧＡ画像３１２とＱＶＧＡ画像３１３を編集するのに十分に大きな記憶領域を有し、合成画像であるＸＧＡ+画像３１１よりも大きな記憶領域を有する。
【００４６】
合成画像生成部２２は、ＳＶＧＡ画像３１２とＱＶＧＡ画像３１３から合成画像となるＸＧＡ+画像３１１を生成する。ここで、合成画像生成部２２は、ＸＧＡ+画像３１１を生成する際に、ＳＶＧＡ画像３１２とＱＶＧＡ画像３１３を重複なく配置するための画像配置を画像配置記憶部２４から取得する。
【００４７】
画像配置記憶部２４は、画像配置管理テーブル３２０を記憶する。画像配置管理テーブル３２０は、第１入力画像総画素数、第２入力画像総画素数、出力画像総画素数、画像配置についての設定をテーブル化した情報である。第１入力画像総画素数は、操作者用ディスプレイ３１（第１表示装置）に表示するＳＶＧＡ画像３１２の総画素数である。第２入力画像総画素数は、客用ディスプレイ４０（第２表示装置）に表示するＱＶＧＡ画像３１３の総画素数である。出力画像総画素数は、合成画像生成部２２が生成する合成画像であるＸＧＡ+画像３１３の総画素数である。画像配置は、出力画像に第１入力画像と第２入力画像を配置するための配置情報である。配置情報（ＳＶＧＡ（０、０）、ＱＶＧＡ（０、６００））は、出力画像ＸＧＡ+の横０、縦０に第１入力画像ＳＶＧＡを配置し、出力画像ＸＧＡ+の横０、縦６００に第２入力画像ＱＶＧＡを配置することを指示する情報である。合成画像生成部２２は、画像配置管理テーブル３２０の指示にもとづいて、ＸＧＡ+画像３１１を生成する（図６（ｂ）参照）。
【００４８】
合成画像出力部２３は、ＳＶＧＡ画像３１２とＱＶＧＡ画像３１３の合成画像であるＸＧＡ+画像３１１を映像信号として出力する。合成画像入力部３５は、映像信号として出力されたＸＧＡ+画像３１１を入力する。ＸＧＡ+画像３１１の映像信号は、合成画像出力部２３と合成画像入力部３５とを接続する所要の通信ケーブル（通信線）を介して、合成画像出力部２３から出力され、合成画像入力部３５に入力される。
【００４９】
合成画像分離部３７は、合成画像となるＸＧＡ+画像３１１からＳＶＧＡ画像３１２とＱＶＧＡ画像３１３を分離する。ここで、合成画像分離部３７は、ＳＶＧＡ画像３１２とＱＶＧＡ画像３１３を分離する際に、ＸＧＡ+画像３１１からＳＶＧＡ画像３１２とＱＶＧＡ画像３１３を分離するための画像配置を画像配置記憶部３６から取得する。
【００５０】
画像配置記憶部２４は、画像配置記憶部２４が記憶しているのと同じ画像配置管理テーブル３２０を記憶する。合成画像分離部３７は、ＸＧＡ+画像３１１の横０、縦０からＳＶＧＡ画像３１２を分離し、ＸＧＡ+画像３１１の横０、縦６００からＱＶＧＡ画像３１３を分離する（図６（ｃ）参照）。
【００５１】
第１画像出力部３８は、ＸＧＡ+画像３１１から分離したＳＶＧＡ画像３１２を映像信号として操作者用ディスプレイ３１に出力する。第２画像出力部３９は、ＸＧＡ+画像３１１から分離したＱＶＧＡ画像３１３を映像信号として客用ディスプレイ４０に出力する。
【００５２】
これにより、有人窓口用投票券発券装置１２は、低コストでマルチ画像出力（ＳＶＧＡ画像３１２の操作者用ディスプレイ３１への出力、およびＱＶＧＡ画像３１３の客用ディスプレイ４０への出力）が可能となる。
【００５３】
次に、実施形態の本体装置２０のハードウェア構成例について図７を用いて説明する。図７は、第２の実施形態の本体装置のハードウェア構成例を示す図である。
本体装置２０は、本体装置制御部１００を備える。本体装置制御部１００は、ＣＰＵ（Central Processing Unit）１０１によって装置全体が制御されている。ＣＰＵ１０１には、バス１０７を介してＲＡＭ（Random Access Memory）１０２、ＨＤＤ（Hard Disk Drive）１０３、通信インタフェース１０４、グラフィック処理装置１０５、および入出力インタフェース１０６が接続されている。
【００５４】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００５５】
グラフィック処理装置１０５には、操作卓表示制御装置３２が接続されている。グラフィック処理装置１０５は、１つまたは複数の操作卓表示制御装置３２と接続可能であり、図示のグラフィック処理装置１０５は、２つの操作卓表示制御装置３２と接続する。
【００５６】
入出力インタフェース１０６には、操作部３３が接続されている。入出力インタフェース１０６は、１つまたは複数の操作部３３と接続可能であり、図示の入出力インタフェース１０６は、２つの操作部３３と接続する。また、入出力インタフェース１０６は、可搬型記録媒体１０８への情報の書込み、および可搬型記録媒体１０８への情報の読出しが可能な可搬型記録媒体インタフェースと接続可能になっている。入出力インタフェース１０６は、操作部３３、可搬型記録媒体インタフェースから送られてくる信号を、バス１０７を介してＣＰＵ１０１に送信する。
【００５７】
通信インタフェース１０４は、ネットワーク１１に接続されている。通信インタフェース１０４は、管理装置５０との間でデータの送受信をおこなう。
以上のようなハードウェア構成によって、本実施の形態の処理機能を実現することができる。なお、管理装置５０も同様のハードウェア構成で実現できる。
【００５８】
なお、本体装置制御部１００は、それぞれＦＰＧＡ（Field Programmable Gate Array）やＤＳＰ（Digital Signal Processer）などからなるモジュールを含んで構成することもでき、ＣＰＵ１０１を有しない構成とすることもできる。その場合、本体装置制御部１００は、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体１０８、あるいは通信インタフェース１０４を介してファームウェアを書き込むことができる。このように本体装置制御部１００は、不揮発性メモリに記憶されているファームウェアを書き換えることにより、ファームウェアの更新をすることもできる。
【００５９】
次に、実施形態の本体装置２０のグラフィック処理装置および操作卓のハードウェア構成例について図８を用いて説明する。図８は、第２の実施形態のグラフィック処理装置（本体装置）および操作卓のハードウェア構成例を示す図である。
【００６０】
本体装置２０が備えるグラフィック処理装置１０５は、ＶＲＡＭ１１０と、ＶＤＰ１１１と、キャラクタＲＯＭ１１２を備える。グラフィック処理装置１０５は、操作卓３０と接続するＩ／Ｆコントローラ１１３を備える。Ｉ／Ｆコントローラ１１３は、操作卓３０の１つと対応し、本体装置２０に接続する操作卓３０ごとに備えられる。
【００６１】
ＶＤＰ１１１は、ＣＰＵ１０１からの指令にもとづいて、キャラクタデータを記憶するキャラクタＲＯＭ１１２からキャラクタデータを取得し、ＶＲＡＭ１１０の画像編集メモリ３１０にＳＶＧＡ画像３１２を展開する。また、ＶＤＰ１１１は、ＣＰＵ１０１からの指令にもとづいて、キャラクタデータを記憶するキャラクタＲＯＭ１１２からキャラクタデータを取得し、ＶＲＡＭ１１０の画像編集メモリ３１０にＱＶＧＡ画像３１３を展開する。なお、ＶＤＰ１１１は、操作卓３０が複数接続されている場合、操作卓３０ごとの画像をＶＲＡＭ１１０に展開する。
【００６２】
なお、キャラクタデータおよび生成画像の少なくとも一部は、ＳＶＧＡ画像３１２とＱＶＧＡ画像３１３とで共用されるため、ＶＤＰ１１１がＳＶＧＡ画像３１２とＱＶＧＡ画像３１３の生成を効率よくおこなうことができる。
【００６３】
Ｉ／Ｆコントローラ１１３は、ＶＲＡＭ１１０に展開されたＳＶＧＡ画像３１２とＱＶＧＡ画像３１３をＸＧＡ+画像３１１に合成し、映像信号としてＸＧＡ+画像３１１を操作卓３０に出力する。
【００６４】
操作卓３０は、操作卓表示制御装置３２と、入出力Ｉ／Ｆ２０６を備える。操作卓表示制御装置３２は、Ｉ／Ｆコントローラ２００と、ＣＰＵ２０１と、ＲＡＭ２０２と、ＲＯＭ２０３と、出力Ｉ／Ｆ２０４、出力Ｉ／Ｆ２０５を備える。
【００６５】
操作卓表示制御装置３２は、ＣＰＵ２０１によって制御されている。ＣＰＵ２０１には、Ｉ／Ｆコントローラ２００、ＲＡＭ２０２、ＲＯＭ２０３、出力Ｉ／Ｆ２０４、出力Ｉ／Ｆ２０５が接続されている。
【００６６】
Ｉ／Ｆコントローラ２００は、Ｉ／Ｆコントローラ１１３と通信ケーブルで接続し、Ｉ／Ｆコントローラ１１３が映像信号として出力したＸＧＡ+画像３１１を受信する。
ＲＡＭ２０２には、ＣＰＵ２０１に実行させるＯＳのプログラムやアプリケーションプログラムの少なくとも一部が一時的に格納される。また、ＲＡＭ２０２には、ＣＰＵ２０１による処理に必要な各種データ、受信した合成画像データ、合成画像データから分離した画像データが格納される。ＲＯＭ２０３には、ＯＳやアプリケーションプログラム、画像配置管理テーブル３２０が格納される。
【００６７】
出力Ｉ／Ｆ２０４には、操作者用ディスプレイ３１が接続されている。出力Ｉ／Ｆ２０４は、ＲＡＭ２０２に展開されたＳＶＧＡ画像３１２を映像信号として操作者用ディスプレイ３１に出力する。出力Ｉ／Ｆ２０５には、客用ディスプレイ４０が接続されている。出力Ｉ／Ｆ２０５は、ＲＡＭ２０２に展開されたＱＶＧＡ画像３１３を映像信号として客用ディスプレイ４０に出力する。
【００６８】
また、操作卓表示制御装置３２は、図示しない可搬型記録媒体への情報の書込み、および可搬型記録媒体への情報の読出しが可能な可搬型記録媒体インタフェースを備えてもよい。
【００６９】
入出力Ｉ／Ｆ２０６は、操作部３３から送られてくる信号を本体装置２０に送信する。また、入出力Ｉ／Ｆ２０６は、図示しない投票券発券装置と接続する。なお、入出力Ｉ／Ｆ２０６と接続する入出力装置は、ＣＰＵ２０１を介して本体装置２０と接続するようにしてもよい。
【００７０】
以上のようなハードウェア構成によって、本実施の形態の処理機能を実現することができる。
なお、操作卓表示制御装置３２は、ＦＰＧＡやＤＳＰなどからなるモジュールを含んで構成することもでき、ＣＰＵ２０１を有しない構成とすることもできる。その場合、操作卓表示制御装置３２は、それぞれ不揮発性メモリ（たとえば、ＥＥＰＲＯＭ、フラッシュメモリ、フラッシュメモリ型メモリカードなど）を備え、モジュールのファームウェアを記憶する。不揮発性メモリは、可搬型記録媒体を介してファームウェアを書き込むことができる。このように操作卓表示制御装置３２は、不揮発性メモリに記憶されているファームウェアを書き換えることにより、ファームウェアの更新をすることもできる。
【００７１】
次に、グラフィック処理装置１０５が実行する合成画像生成処理および合成画像出力処理について図９を用いて詳細に説明する。図９は、第２の実施形態の合成画像生成部および合成画像出力部の処理シーケンスを示す図である。
【００７２】
［ステップＳ１１］合成画像生成部２２は、画像配置記憶部２４が記憶する画像配置管理テーブル３２０を参照し、画像配置を取得する。これにより、合成画像生成部２２は、第１入力画像総画素数、第２入力画像総画素数、出力画像総画素数を把握し、第１画像および第２画像を出力画像のどこに配置すればよいかを把握する。
【００７３】
［ステップＳ１２］合成画像生成部２２は、所定周期（たとえば、１／３０秒）で画像編集メモリ３１０から第１画像（ＳＶＧＡ画像３１２）を取得する。
［ステップＳ１３］合成画像生成部２２は、所定周期（たとえば、１／３０秒）で画像編集メモリ３１０から第２画像（ＱＶＧＡ画像３１３）を取得する。
【００７４】
［ステップＳ１４］合成画像生成部２２は、合成画像生成処理を実行する。合成画像生成部２２は、画像配置管理テーブル３２０に設定されている画像配置にもとづいて、取得した第１画像と第２画像から合成画像（ＸＧＡ+画像３１１）を所定周期（たとえば、１／３０秒）で生成する。
【００７５】
［ステップＳ２１］合成画像出力部２３は、合成画像生成部２２が生成した合成画像を映像信号に変換する。
［ステップＳ２２］合成画像出力部２３は、所定周期（たとえば、１／３０秒）ごとに合成画像を映像信号として送信出力する。
【００７６】
次に、操作卓表示制御装置３２が実行する合成画像入力処理、合成画像分離処理、第１画像出力処理および第２画像出力処理について図１０を用いて詳細に説明する。図１０は、第２の実施形態の合成画像入力部、合成画像分離部、第１画像出力部、第２画像出力部の処理シーケンスを示す図である。
【００７７】
［ステップＳ３１］合成画像入力部３５は、合成画像出力部２３が所定周期（たとえば、１／３０秒）ごとに送信出力してくる映像信号を受信する。
［ステップＳ３２］合成画像入力部３５は、受信した映像信号を合成画像（ＸＧＡ+画像３１１）に変換する。
【００７８】
［ステップＳ４１］合成画像分離部３７は、画像配置記憶部３６が記憶する画像配置管理テーブル３２０を参照し、画像配置を取得する。これにより、合成画像分離部３７は、第１入力画像総画素数、第２入力画像総画素数、出力画像総画素数を把握し、第１画像および第２画像が出力画像のどこに配置されているかを把握する。
【００７９】
［ステップＳ４２］合成画像分離部３７は、合成画像入力部３５が変換した合成画像を所定周期（たとえば、１／３０秒）で取得する。
［ステップＳ４３］合成画像分離部３７は、画像配置管理テーブル３２０に設定されている画像配置にもとづいて、取得した合成画像から第１画像（ＳＶＧＡ画像３１２）を分離する。
【００８０】
［ステップＳ４４］合成画像分離部３７は、画像配置管理テーブル３２０に設定されている画像配置にもとづいて、取得した合成画像から第２画像（ＱＶＧＡ画像３１３）を分離する。
【００８１】
［ステップＳ５１］第１画像出力部３８は、合成画像分離部３７が分離した第１画像を所定周期（たとえば、１／３０秒）で取得する。
［ステップＳ５２］第１画像出力部３８は、第１画像を映像信号に変換する。
【００８２】
［ステップＳ５３］第１画像出力部３８は、所定周期（たとえば、１／３０秒）ごとに第１画像を映像信号として送信出力する。
［ステップＳ６１］第２画像出力部３９は、合成画像分離部３７が分離した第２画像を所定周期（たとえば、１／３０秒）で取得する。
【００８３】
［ステップＳ６２］第２画像出力部３９は、第２画像を映像信号に変換する。
［ステップＳ６３］第２画像出力部３９は、所定周期（たとえば、１／３０秒）ごとに第２画像を映像信号として送信出力する。
【００８４】
これにより、有人窓口用投票券発券装置１２は、第１画像および第２画像の各々に独立した画像生成、信号送信をしなくともよいので、低コストでマルチ画像出力が可能となる。
【００８５】
なお、合成画像は、第１画像と第２画像の２つの画像から生成されたが、３つ以上の画像から生成されるようにしてもよい。その場合、合成画像は、３つ以上の画像に分離され、各々の分離画像が対応する表示装置に表示される。
【００８６】
次に、第３の実施形態を、図１１および図１２を用いて説明する。図１１は、第３の実施形態の合成画像生成処理のフローチャートである。図１２は、第３の実施形態の表示データ構成例を示す図である。
【００８７】
第３の実施形態は、第２の実施形態と異なり、第１画像と第２画像から合成画像を生成する際に、第２画像について変形を要する。第２の実施形態において合成画像の総画素数は、ＸＧＡ+（横１１５２×縦８６４）であり、横方向においても縦方向においてもＳＶＧＡ（横８００×縦６００）とＱＶＧＡ（横３２０×縦２４０）の総和より大きい。すなわち第１画像と第２画像に比較して合成画像の総画素数は、十分に大きく、第１画像または第２画像を変形させることなく合成画像を生成できる（図６（ｂ）参照）。一方、第３の実施形態において合成画像の総画素数は、ＸＧＡ（横１０２４×縦７６８）であり、横方向においても縦方向においてもＳＶＧＡ（横８００×縦６００）とＱＶＧＡ（横３２０×縦２４０）の総和より小さい。したがって、第１画像と第２画像に比較して合成画像の総画素数は、大きいものの、十分な大きさとまではいえず、合成画像の生成には第１画像または第２画像のうち少なくともいずれか一方の変形を要する。なお、第２の実施形態と共通の構成については、符番を同じにして説明する。
【００８８】
［第３の実施形態］
合成画像生成処理は、合成画像生成部２２が画像配置管理テーブル３２０に設定されている画像配置にもとづいて、取得した第１画像と第２画像から合成画像を所定周期で生成する処理である。
【００８９】
［ステップＳ７１］合成画像生成部２２は、画像配置管理テーブル３２０から出力画像の総画素数を取得する。
［ステップＳ７２］合成画像生成部２２は、画像配置管理テーブル３２０から第１画像の総画素数を取得する。
【００９０】
［ステップＳ７３］合成画像生成部２２は、画像配置管理テーブル３２０から第２画像の総画素数を取得する。
ここで、合成画像生成部２２が取得した出力画像の総画素数がＸＧＡ（横１０２４×縦７６８）、第１画像の総画素数がＳＶＧＡ（横８００×６００）、第２画像の総画素数がＱＶＧＡ（横３２０×縦２４０）であるとする。このとき、第１画像と第２画像を横方向に並べると１１２０（＝８００＋３２０）画素が必要になり、合成画像は、ＸＧＡの横方向画素数１０２４に収まらない。また、第１画像と第２画像を縦方向に並べると８４０（＝６００＋２４０）画素が必要になり、合成画像は、ＸＧＡの縦方向画素数７６８に収まらない。
【００９１】
［ステップＳ７４］合成画像生成部２２は、第１画像と第２画像の横方向画素数を比較する。
［ステップＳ７５］合成画像生成部２２は、第１画像と第２画像のうち横方向画素数の多い画像を出力画像の原点に配置する。
【００９２】
したがって、第１画像がＳＶＧＡ、第２画像がＱＶＧＡである場合、出力画像の原点にはＳＶＧＡである第１画像を配置する。合成画像生成部２２は、画像編集メモリ３１０から第１画像（ＳＶＧＡ）を読み出してＸＧＡ画像３１４（出力画像）の原点（横０、縦０）に第１画像の原点（横０、縦０）が位置するように配置する。
【００９３】
［ステップＳ７６］合成画像生成部２２は、第１画像と第２画像のうち横方向画素数の少ない画像を、横方向画素数の多い画像と縦方向に並べて出力画像に配置可能か否かを判定する。合成画像生成部２２は、配置可能と判定すればステップＳ７７にすすみ、配置できないと判定すればステップＳ７８にすすむ。
【００９４】
第１画像（ＳＶＧＡ）を出力画像（ＸＧＡ）の原点に配置した場合、第２画像（ＱＶＧＡ）は、第１画像（ＳＶＧＡ）と縦方向に並べて配置することはできないと判定される。
［ステップＳ７７］合成画像生成部２２は、第１画像と第２画像のうち横方向画素数の少ない画像を、横方向画素数の多い画像と縦方向に並べて出力画像に配置して、合成画像生成処理を終了する。
【００９５】
［ステップＳ７８］合成画像生成部２２は、第１画像と第２画像のうち横方向画素数の少ない画像を横方向に分割する。このとき、分割される画像は、２分割される。
［ステップＳ７９］合成画像生成部２２は、分割画像を、横方向画素数の多い画像に対して縦方向に並べ、分割画像同士を横方向に並べて配置して、合成画像生成処理を終了する。
【００９６】
したがって、合成画像生成部２２は、画像編集メモリ３１０から第２画像（ＱＶＧＡ）を読み出してＸＧＡ画像３１４（出力画像）に配置した第１画像（ＳＶＧＡ）の下（横０、縦６００）に分割画像の１つの原点（横０、縦０）が位置するように配置する（図１２（ｂ））。そして、合成画像生成部２２は、先に配置した分割画像と横方向に並ぶように、ＸＧＡ画像３１４（出力画像）の位置（横３２０、縦６００）に、もう一つの分割画像の原点（横０、縦０）に、もう一つの分割画像を配置する。
【００９７】
このように、合成画像生成部２２は、合成画像の生成には第１画像または第２画像のうち少なくともいずれか一方の分割（変形）をおこなうことで、複数の表示装置に、より大きな画像を出力することができる。
【００９８】
なお、合成画像分離部３７は、合成画像生成部２２が合成画像を生成するのと逆手順で、合成画像から画像分離をおこなうことができる。
なお、画像の分割は、画像の一部についてコピーし、これを貼り付けることによっても容易に実現できる。すなわち、合成画像生成部２２は、入力画像の一部について、これを再配置して合成画像を生成する。
【００９９】
なお、合成画像生成部２２は、第１画像または第２画像のうち少なくともいずれか一方を２分割したが、これに限らず、３分割以上の分割をおこなうようにしてもよい。また、合成画像生成部２２がおこなう画像分割は、等分割のほか、不等分割をおこなうことができる。分割する画像の大きさは、出力画像の大きさ、その余の入力画像の大きさにもとづいて決定することができる。合成画像生成部２２と合成画像分離部３７は、これら画像分割のルールを共有することで、整合性をもって画像合成と画像分離とをおこなうことができる。
【０１００】
次に、第４の実施形態を、図１３および図１４を用いて説明する。図１３は、第４の実施形態の合成画像生成処理のフローチャートである。図１４は、第４の実施形態の表示データ構成例を示す図である。
【０１０１】
第４の実施形態は、第３の実施形態と異なり、合成画像の生成において第１画像および第２画像の双方を変形する。なお、第２の実施形態と共通の構成については、符番を同じにして説明する。
【０１０２】
［第４の実施形態］
［ステップＳ８１］合成画像生成部２２は、画像配置管理テーブル３２０から出力画像の総画素数を取得する。
【０１０３】
［ステップＳ８２］合成画像生成部２２は、画像配置管理テーブル３２０から第１画像の総画素数を取得する。
［ステップＳ８３］合成画像生成部２２は、画像配置管理テーブル３２０から第２画像の総画素数を取得する。
【０１０４】
ここで、合成画像生成部２２が取得した出力画像の総画素数がＸＧＡ（横１０２４×縦７６８）、第１画像の総画素数がＳＶＧＡ（横８００×６００）、第２画像の総画素数がＱＶＧＡ（横３２０×縦２４０）であるとする。このとき、第１画像と第２画像を横方向に並べると１１２０（＝８００＋３２０）画素が必要になり、合成画像は、ＸＧＡの横方向画素数１０２４に収まらない。また、第１画像と第２画像を縦方向に並べると８４０（＝６００＋２４０）画素が必要になり、合成画像は、ＸＧＡの縦方向画素数７６８に収まらない。
【０１０５】
［ステップＳ８４］合成画像生成部２２は、出力画像の横方向画素数にしたがい第１画像を変形する。この変形は、第１画像（ＳＶＧＡ）の各画素（０、０）から（７９９、５９９）を一列に並べて、横８００行×縦ｍ列に再配置することでおこなう。
【０１０６】
［ステップＳ８５］合成画像生成部２２は、変形した第１画像を出力画像の原点に配置する。
したがって、第１画像がＳＶＧＡ、第２画像がＱＶＧＡである場合、出力画像の原点にはＳＶＧＡである第１画像の変形画像を配置する。合成画像生成部２２は、画像編集メモリ３１０から第１画像（ＳＶＧＡ）を読み出してＸＧＡ画像３１５（出力画像）の原点（横０、縦０）に第１画像の変形画像の原点（横０、縦０）が位置するように配置する。
【０１０７】
［ステップＳ８６］合成画像生成部２２は、出力画像の横方向画素数にしたがい第２画像を変形する。この変形は、第２画像（ＱＶＧＡ）の各画素（０、０）から（３１９、２３９）を一列に並べて、横８００行×縦ｎ列に再配置することでおこなう。
【０１０８】
［ステップＳ８７］合成画像生成部２２は、変形した第２画像を、変形した第１画像に対して縦方向に並べて配置する。
したがって、合成画像生成部２２は、画像編集メモリ３１０から第２画像（ＱＶＧＡ）を読み出してＸＧＡ画像３１５（出力画像）の位置（横０、縦４６９）に第２画像の変形画像の原点（横０、縦０）が位置するように配置する。
【０１０９】
このように、合成画像生成部２２は、合成画像の生成には第１画像と第２画像の双方の変形をおこなうことで、複数の表示装置に、より大きな画像を出力することができる。
なお、合成画像分離部３７は、合成画像生成部２２が合成画像を生成するのと逆手順で、合成画像から画像分離をおこなうことができる。
【０１１０】
なお、合成画像生成部２２は、第１画像と第２画像を縦方向に並べて配置したが、第１画像と第２画像の間に１画素の隙間も開けずに配置するようにしてもよい。
次に、第５の実施形態を、図１５を用いて説明する。図１５は、第５の実施形態の画像配置管理テーブルの一例を示す図である。
【０１１１】
第５の実施形態は、第３の実施形態、第４の実施形態と異なり、合成画像への第１画像と第２画像の配置情報をあらかじめ保持する。
［第５の実施形態］
画像配置記憶部２４は、画像配置管理テーブル３２１を記憶する。画像配置管理テーブル３２１は、操作者用ディスプレイ３１と客用ディスプレイ４０の各々の総画素数の組み合わせに対する画像配置があらかじめ定義された配置情報が設定されている。
【０１１２】
合成画像生成部２２は、接続されている操作者用ディスプレイ３１と客用ディスプレイ４０の各々の総画素数にもとづいて、画像配置管理テーブル３２１から配置情報を取得する。合成画像生成部２２は、取得した配置情報にもとづいて、第１画像および第２画像から合成画像を生成することができる。
【０１１３】
なお、合成画像分離部３７は、画像配置記憶部３６が記憶する画像配置管理テーブル３２１から配置情報を取得することで、合成画像生成部２２が合成画像を生成するのと逆手順で、合成画像から画像分離をおこなうことができる。
【０１１４】
これにより、有人窓口用投票券発券装置１２は、第１画像および第２画像の各々に独立した画像生成、信号送信をしなくともよいので、低コストでマルチ画像出力が可能となる。
【０１１５】
たとえば、合成画像生成部２２からの映像信号出力が１つとなるので、本体装置２０は、グラフィックボードを１つ実装するだけで済む。合成画像分離部３７の画像処理は処理負担が大きくないため簡易な処理装置で実現可能であり、操作卓３０は、表示装置ごと（操作者用ディスプレイ３１と客用ディスプレイ４０）にグラフィックボードを実装しなくても済む。
【０１１６】
なお、有人窓口用投票券発券装置１２は、第１画像および第２画像から合成画像を生成する場合について説明したが、２つの画像から合成画像を生成するのと同様に、３つ以上の画像から合成画像を生成することもできる。
【０１１７】
なお、上記の処理機能は、コンピュータによって実現することができる。その場合、有人窓口用投票券発券装置１２（本体装置２０、操作卓３０を含む）、画像合成装置２、画像分離装置３が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【０１１８】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１９】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【０１２０】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１２１】
１  表示制御装置
２  画像合成装置
２ａ  合成画像生成手段
２ｂ  合成画像出力手段
３  画像分離装置
３ａ  合成画像入力手段
３ｂ  合成画像分離手段
３ｃ  第１画像出力手段
３ｄ  第２画像出力手段
４  第１表示装置
５  第２表示装置
６  第１画像
７  第２画像
８  合成画像
１０  投票券発券システム
１１  ネットワーク
１２  有人窓口用投票券発券装置
２０  本体装置
２１  画像生成部
２２  合成画像生成部
２３  合成画像出力部
２４  画像配置記憶部
３０  操作卓
３１  操作者用ディスプレイ
３２  操作卓表示制御装置
３３  操作部
３５  合成画像入力部
３６  画像配置記憶部
３７  合成画像分離部
３８  第１画像出力部
３９  第２画像出力部
４０  客用ディスプレイ
５０  管理装置
１００  本体装置制御部
１０５  グラフィック処理装置
【図１】
0005476281.tif 000002
【図２】
0005476281.tif 000003
【図３】
0005476281.tif 000004
【図４】
0005476281.tif 000005
【図５】
0005476281.tif 000006
【図６】
0005476281.tif 000007
【図７】
0005476281.tif 000008
【図８】
0005476281.tif 000009
【図９】
0005476281.tif 000010
【図１０】
0005476281.tif 000011
【図１１】
0005476281.tif 000012
【図１２】
0005476281.tif 000013
【図１３】
0005476281.tif 000014
【図１４】
0005476281.tif 000015
【図１５】
0005476281.tif 000016